(57)【要約】      （修正有）【課題】ポータブル電子製品を置くことができ、電子製品を取り外した後は、ミラーとなる多機能のホルダを提供する。【解決手段】ミラーを具えたホルダは、ベースユニット２、少なくとも一つのストッパ３、及び、鏡面４を包含し、ベースユニットは電子製品を上に置くことができる載置面２１を有し、載置面の局部区域がミラーの所在位置とされ、ストッパはベースユニットに取り付けられ、且つ載置面より突出し、電子製品が載置面上に置かれた時、電子製品の辺縁に位置してその脱落を防止する。ベースユニットは長方形ボックス体であり、コイン投入口２２を具えるのが好ましい。【選択図】図１
0003193818.tif 000002
【実用新案登録請求の範囲】
【請求項１】
ミラーを具えたホルダにおいて、ベースユニット、少なくとも一つのストッパ、及び、鏡面を包含し、該ベースユニットは電子製品を上に置くことができる載置面を有し、該載置面の局部区域は該ミラーの所在位置とされ、該ストッパは該ベースユニットに取り付けられ、且つ該載置面より突出し、電子製品が該載置面上に置かれ、該ストッパが該電子製品の辺縁に位置してその脱落を防止し、該電子製品が取り外された後、該載置面内の該鏡面は該ホルダを一つのミラーとなすことを特徴とする、ミラーを具えたホルダ。
【請求項２】
請求項１記載のミラーを具えたホルダにおいて、該ベースユニットは長方形ボックス体とされ、該ベースユニットはコイン投入口を具え、該ホルダがコインホルダとされることを特徴とする、ミラーを具えたホルダ。
【請求項３】
請求項１記載のミラーを具えたホルダにおいて、該ホルダはさらに二つのクランプユニットを包含し、二つの該クランプユニットは、該ベースユニットの相互に対向する２辺に取り付けられ、そのうち少なくとも一つの該クランプユニットは、もう一つのクランプユニットに向けて接近するかそれから離れることができ、夾持状態下で、該電子製品は、これら二つのクランプユニットの間に夾持され、並びに、該ストッパ、二つのクランプユニットはそれぞれ電子製品の周囲の３辺と接触し、それによりその位置を固定することを特徴とする、ミラーを具えたホルダ。
【請求項４】
請求項１記載のミラーを具えたホルダにおいて、該ホルダはさらに補助クランプ手段を包含し、該ストッパと補助クランプ手段は、それぞれ該ベースユニットの相互に対向する２辺に位置し、そのうち、該補助クランプ手段は、該ストッパに向けて接近するかそれより離れ、夾持状態では、該電子製品は該ストッパと該補助クランプ手段の間に夾持されることを特徴とする、ミラーを具えたホルダ。
【考案の詳細な説明】
【技術分野】
【０００１】
本考案は一種のホルダの技術領域に係り、特に一種の、ポータブル電子製品を置くことができるか、或いは、該ホルダはミラーとして使用される設計を指す。
【背景技術】
【０００２】
現在の製品は、実用性をカスタマイズする要求にマッチするよう、いかに適当な設計を提供し、またもとの機能を妨害しないようにして、消費者の注目を集めて、それにより購入意欲を刺激するかが、各デザイナーの思考する課題である。一般に電子製品用のホルダは、補助支持構造を提供し、ポータブル電子製品、たとえば、スマートフォン或いは７〜５インチのタブレットＰＣ等を、その上に置くことができ、それにより、消費者が、卓上、プラットフォーム、車内或いは室内で、ハンズフリーの状態で、簡単に映画を鑑賞したり携帯電話が提供するサービス、たとえば、衛星ナビゲーション、音楽再生等の機能を使用できるようにする。しかし、現在、単一機能の製品は、消費者にとっては、数多くの商品が溢れる商品棚中で、即刻注目を集めることはできず、本考案者は、ホルダを、もともとの使用状況に影響を与えずに、付加機能を設計すれば、消費者を引きつけ、消費者の購入意欲を増加するのを助けられると考えた。
【考案の概要】
【考案が解決しようとする課題】
【０００３】
本考案の主要な目的は、一種の、ミラー機能を具えたホルダを提供することにあり、該ホルダはポータブル電子製品を置くことができるほか、電子製品を取り外した後には、ミラーとなり、一種の多機能の実用的設計とされる。
【課題を解決するための手段】
【０００４】
上述の目的を達成するため、本考案は、ベースユニット、少なくとも一つのストッパ、及び、鏡面を包含する。該ベースユニットは載置面を有し、電子製品をその上に置くことができ、該載置面の局部区域は該ミラーの所在位置とされ、また、該ストッパは該ベースユニットに取り付けられ、且つ該載置面より突出する。電子製品が該載置面上に置かれ、該ストッパが該電子製品の辺縁に位置してその脱落を防止し、該電子製品が取り外された後、該載置面内の該鏡面は該ホルダを一つのミラーとなし、消費者が該ミラーを使用できて便利である。
【０００５】
さらに、本考案のホルダはもう一種の形式とされ得て、この実施例中、本考案はさらに、二つのクランプユニットを包含し、二つの該クランプユニットは、該ベースユニットの相互に対向する２辺に取り付けられ、そのうち少なくとも一つの該クランプユニットは、もう一つのクランプユニットに向けて接近するかそれから離れることができる。夾持状態下で、該電子製品は、これら二つのクランプユニットの間に夾持され、並びに、該ストッパ、二つのクランプユニットはそれぞれ電子製品の周囲の３辺と接触し、それによりその位置を固定する。
【０００６】
このほか、本考案のホルダは別の形式とされ得て、本実施例中、本考案はさらに補助クランプ手段を包含し、該ストッパと補助クランプ手段は、それぞれ該ベースユニットの相互に対向する２辺に位置し、そのうち、該補助クランプ手段は、該ストッパに向けて接近するかそれより離れ、夾持状態では、該電子製品は該ストッパと該補助クランプ手段の間に夾持され、これにより対応する寸法の電子製品に適用される。
【考案の効果】
【０００７】
本考案はミラーを具えたホルダであり、それは各種のホルダの載置面に、鏡面を取り付け、本考案のホルダを電子製品の載置のほかに、ミラーとしても使用できるようにしたものであり、非常に便利であり、実用新案登録の要件を満たす。
【図面の簡単な説明】
【０００８】
【図１】本考案の第１種の実施例の立体図である。
【図２】本考案の第１種の実施例の断面図である。
【図３】本考案の第２種の実施例の立体図である。
【図４】本考案の第２種の実施例のクランプユニットの移動方式の表示図である。
【図５】本考案の第３種の実施例の立体図である。
【図６】本考案の第３種の実施例の補助クランプ手段の移動方式の表示図である。
【考案を実施するための形態】
【０００９】
以下に本考案の技術内容、構造特徴、達成する目的及び作用効果について、以下に例を挙げ並びに図面を組み合わせて詳細に説明する。
【００１０】
図１及び図２に示されるのは、本考案の第１実施例の立体図及び断面図である。本考案のホルダ１００Ａは、電子製品を傾斜状態でその上に置くことができ、ベースユニット２、少なくとも一つのストッパ３、及び一つの鏡面４を包含する。該ベースユニット２は立体状長方形体を呈し、載置面２１を具え、該載置面２１は該ベースユニット２の上面に位置し並びに傾斜状を呈し、該載置面２１は電子製品を載置する部分とされる。該載置面２１の局部エリアはまた該鏡面４の所在位置とされ、本実施例中の該鏡面４の幅は該載置面２１に近く、長さは該載置面２１より小さい。該鏡面４の材質はガラス或いはプラスチックとされる。該ストッパ３は該ベースユニット２部分に取り付けられ、且つ該載置面２１の表面より突出し、本実施例中、該ストッパ３は傾斜状を呈する該載置面２１の最下端位置に位置する。電子製品が該載置面２１上に置かれ、該ストッパ３と該電子製品の辺縁が接触することにより、電子製品の脱落が防止される。
【００１１】
このほか、該ベースユニット２は本実施例中では長方形中空箱体とされ、この構造はまたコインホルダとされ、該ベースユニット２はまたコイン投入口２２を具え、本実施例中、該コイン投入口２２は該ベースユニット２の上面に位置する。こうして、本考案のホルダ１００Ａはすなわち、同時に三つの機能を有する。消費者が電子製品を置く場合には、ただ該電子製品を該載置面２１部分におけば、該ストッパ３が該電子製品の辺縁に接触することにより、電子製品の脱落を防止し、電子製品を傾斜状態で該ホルダ１００Ａ上に位置させることができる。このほか、携帯電話を取り外した後、該載置面２１の鏡面４は、このホルダ１００Ａをミラーとなして消費者の使用に供することができる。このほか、該コイン投入口２２は消費者が該ホルダ１００Ａ内にコインを投入するのに供され、このとき、該ホルダ１００Ａはコインホルダとなる。
【００１２】
図３及び図４に示されるのは、本考案の第２実施例の立体図及びクランプユニットの移動方式の表示図である。本実施例中、該ホルダ１００Ｂの、上述の実施例との最大の違いは、夾持機能を具えていることにある。該ホルダ１００Ｂは、ベースユニット２Ｂ、少なくとも一つのストッパ３Ｂ、鏡面４を包含するほか、さらに二つの該クランプユニット５１、５２を包含する。二つの該クランプユニット５１、５２は該ベースユニット２Ｂの相互に対向する２辺に取り付けられ、そのうち、少なくとも一方の該クランプユニットはもう一つのクランプユニットに向けて接近するかそれより離れることができ、本実施例中の二つの該クランプユニット５１、５２は同時に相互に接近するか離れることができる。夾持状態の下では、該電子製品は二つの該クランプユニット５１、５２の間に夾持され、並びにストッパ３Ｂ、二つのクランプユニット５１、５２がそれぞれ電子製品の周囲の３辺と接触し、これによりその位置を固定する。このほか、該ストッパ３Ｂはまた回転可能で、該ベースユニット２Ｂの側辺に便利に折り畳まれる。該ベースユニット２Ｂ内に別にその他の連動機構があり該クランプユニット５１、５２が相互に連動するものとされるが、これは周知の構造と類似するため、ここで詳細には説明しない。この構造中、該ホルダ１００Ｂの鏡面４はまた、該載置面２１の局部エリアに位置し、該ホルダ１００Ｂは使用時にその他の補助支持構造（たとえば、吸盤式支持架、ウエイトバッグ式支持架）を取り付ける必要があり、それにより、消費者は車内、滑りやすい面或いは壁面において該ホルダ１００Ｂを使用して、電子製品を夾持するか或いはミラーを使用することができる。
【００１３】
図５、６は本考案の第３実施例の図である。本実施例中、該ホルダ１００Ｃはベースユニット２Ｃ、少なくとも一つのストッパ３Ｃ、鏡面４を包含し、その異なるところは、別に補助クランプ手段６を包含し、且つ該ストッパ３と該補助クランプ手段６はそれぞれ該ベースユニット２Ｃの相互に対向する２辺に位置し、そのうち、該補助クランプ手段６は、該ストッパ３Ｃに対して接近或いは離れることができる。夾持状態においては、該電子製品は、該ストッパ３Ｃと該補助クランプ手段６の間に夾持される。このほか、本実施例中では、該ストッパ３Ｃはまた横向きの位置調整が行なえる。本考案のホルダ１００Ｃの構造はサイズが比較的大きいタブレットＰＣに適用される。
【００１４】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１５】
１００Ａ  ホルダ
２  ベースユニット
２１  載置面
２２  コイン投入口
３  ストッパ
４  鏡面
１００Ｂ  ホルダ
２Ｂ  ベースユニット
３Ｂ  ストッパ
５１  クランプユニット
５２  クランプユニット
１００Ｃ  ホルダ
２Ｃ  ベースユニット
３Ｃ  ストッパ
６  補助クランプ手段
【図１】
0003193818.tif 000003
【図２】
0003193818.tif 000004
【図３】
0003193818.tif 000005
【図４】
0003193818.tif 000006
【図５】
0003193818.tif 000007
【図６】
0003193818.tif 000008